(57)【特許請求の範囲】
【請求項１】
記録材に画像を記録する画像記録装置であって、前記記録材に情報記憶媒体を保持させる保持手段と、前記情報記憶媒体に記録材の管理情報を書き込む書込み手段と、前記画像を記録するときの記録条件に応じて前記記録材に対する前記情報記憶媒体の保持条件を決める保持制御手段と、前記記録材の情報記憶媒体の有無を検出する検出装置とを備え、前記情報記憶媒体付きの記録材を再使用したときに、前記検出装置が情報記憶媒体付きの記録材を検出すると、前記書込み手段は、前記記録材の情報記憶媒体に再書き込みを行うことを特徴とする画像記録装置。
【請求項２】
記録材に対して後処理を施す後処理手段を備え、保持制御手段は、前記記録材に対して前記後処理手段によって施される後処理領域と異なる領域に情報記憶媒体を保持させることを特徴とする請求項１に記載の画像記録装置。
【請求項３】
記録材を搬送する搬送手段を備え、前記搬送手段は、前記記録材に接触する搬送部材を有し、保持制御手段は、前記搬送部材によって前記記録材と接触する接触領域と異なる領域に情報記憶媒体を保持させることを特徴とする請求項１に記載の画像記録装置。
【請求項４】
保持制御手段は、画像が記録された記録材の真偽を確認できるように、第三者に知り得ないルールにしたがって情報記憶媒体の保持形態を決めることを特徴とする請求項１に記載の画像記録装置。
【請求項５】
保持制御手段は、記録材に記録された画像記録領域と異なる領域に情報記憶媒体を保持させることを特徴とする請求項１に記載の画像記録装置。
【請求項６】
保持制御手段は、記録条件に基づいて保持手段が自動あるいは手動で動作するかを選択することを特徴とする請求項１に記載の画像記録装置。
【請求項７】
記録条件は、記録材に記録される画像の機密性の有無を含み、保持制御手段は、前記記録条件から前記画像に機密性を有すると判断した場合、保持手段の手動動作を選択することを特徴とする請求項６に記載の画像記録装置。
【請求項８】
複数枚の記録材に画像を記録する際、保持制御手段は、情報記憶媒体を保持させる前記記録材の頁を指定することを特徴とする請求項１に記載の画像記録装置。
【請求項９】
複数枚の記録材に画像を記録する際、保持制御手段は、前記記録材ごとに情報記憶媒体の保持位置を変えることを特徴とする請求項１に記載の画像記録装置。
【請求項１０】
複数の記録材を１部として複数部記録する際、保持制御手段は、部数単位ごとに情報記憶媒体を保持させることを特徴とする請求項１に記載の画像記録装置。
【請求項１１】
情報記憶媒体の残量を検出する検出手段と、情報記憶媒体の残量が所定量に足りない場合、当該不足状態を報知する報知手段とを備えたことを特徴とする請求項１に記載の画像記録装置。
【請求項１２】
保持手段は、記録材に対して情報記憶媒体を貼りつけて保持させることを特徴とする請求項１に記載の画像記録装置。
【請求項１３】
保持手段は、記録材に対して情報記憶媒体を埋め込んで保持させることを特徴とする請求項１に記載の画像記録装置。
【発明の詳細な説明】
【技術分野】
【０００１】
本発明は、画像が記録される記録材にＩＣチップ等の情報記憶媒体を保持させる画像記録装置に関する。
【背景技術】
【０００２】
近年、記録材に情報記憶媒体としてＩＣチップを付し、このＩＣチップに記録材に記録された画像に関する管理情報等の情報を記憶させることにより、記録材の表面に印刷された画像に加えて、ＩＣチップに記憶された情報を提供することが可能となった。
【０００３】
例えば、特許文献１には、ＩＣチップが保持されたステープル針を記録材に打ち込むことが開示されている。また、ＩＣチップを保持する粘着テープを記録材に貼り付けることも開示されている。
【特許文献１】特開２００４−１４２４１９
【発明の開示】
【発明が解決しようとする課題】
【０００４】
ところで、画像が記録された記録材に対して、ステープルやパンチ孔あけ等の後処理が行われることがある。また、画像の記録形態に際して、両面印刷や複数の画像を１枚の記録材に記録するといったように多様な記録形態がある。
【０００５】
このような記録材にＩＣチップを貼り付けて保持させる場合、後処理の邪魔にならない位置に保持させる必要がある。さらに、画像の各種の記録形態に対しても、画像の視認に影響を与えない位置にＩＣチップを保持させなければならない。
【０００６】
なお、ＩＣチップを保持したステープル針を使用したとき、上記のような保持位置の問題はない。しかし、必ずしもステープルによって記録材を綴じる後処理が行われるとは限らず、ＩＣチップを保持させることができない場合がある。しかも、ステープル針が外されると、ＩＣチップによる付加価値がなくなってしまう。
【０００７】
そこで、本発明は、上記に鑑み、後処理や画像の記録形態に影響されないように、情報記憶媒体を記録材に保持させることができる画像記録装置を提供することを目的とする。
【課題を解決するための手段】
【０００８】
上記目的を達成するために、本発明では、記録材に画像を記録する画像記録装置であって、前記記録材に情報記憶媒体を保持させる保持手段と、前記画像を記録するときの記録条件に応じて前記記録材に対する前記情報記憶媒体の保持条件を決める保持制御手段とを備えたことを特徴とする。
【０００９】
記録条件とは、画像記録のために入力される項目である。例えば、後処理の有無、後処理の種類、画像記録装置の画像処理モード、原稿のサイズおよび向き、記録材のサイズおよび向き、ｎアップ指定、記録材の数量および部数、片面か両面かの記録面の指定、拡大縮小の指定、合紙挿入の有無、画像の機密性の有無、情報記憶媒体の要不要、記録材の情報記憶媒体の有無等である。保持条件とは、情報記憶媒体を記録材に保持させるための条件である。例えば、保持の要不要、保持位置、複数枚の記録材に対する頁指定等である。
【００１０】
画像を記録するとき、記録条件が入力される。保持制御手段は、記録条件に基づいて、後処理や画像の記録形態に影響されずに情報記憶媒体を保持できる領域を探索し、保持条件を決める。保持手段は、決められた保持条件にしたがって、指定された保持位置あるいは指定された頁の保持位置に情報記憶媒体を保持させる。ここで、保持させる形態として、情報記憶媒体を記録材に貼り付けたり、あるいは記録材に埋め込んで保持させる。
【００１１】
具体的には、記録材に対して後処理を施す後処理手段を備える。後処理は、ステープル、パンチ孔あけ、ソート、製本等である。保持制御手段は、記録条件から後処理が施される後処理領域を認定し、この後処理領域と異なる領域に情報記憶媒体を保持させる。すなわち、保持制御手段は、後処理領域から回避した領域を選定し、この領域において保持位置を決める。また、保持制御手段は、画像が記録される画像記録領域とも重ならない領域を選定して、保持位置を決める。保持手段は、画像が記録された後あるいは記録される前に、決められた保持位置に情報記憶媒体を保持させる。その後、記録材に後処理が施される。したがって、情報記憶媒体は、記録材に後処理が施されても、この影響を全く受けない。
【００１２】
また、画像記録装置は、記録材を搬送する搬送手段を備える。この搬送手段は、記録材と接触する搬送部材を有している。したがって、情報記憶媒体を保持された後に、記録材が搬送部材と接触するのを回避する必要がある。そこで、保持制御手段は、搬送部材によって前記記録材と接触する接触領域と異なる領域に情報記憶媒体を保持させる。
【００１３】
詳しくは、保持制御手段は、記録条件から接触領域を認定し、この領域を回避した領域に保持位置を決める。この保持位置の情報に基づき保持手段は、情報記憶媒体を記録材に保持させる。情報記憶媒体が保持された記録材は、搬送部材によって搬送されるが、情報記憶媒体の保持位置が搬送部材の位置を回避するようにしているので両者が接触することはない。したがって、情報記憶媒体には外力がかからず、情報記憶媒体の損傷を防げる。
【００１４】
また、保持制御手段は、画像が記録された記録材の真偽を確認できるように、第三者に知り得ないルールにしたがって情報記憶媒体の保持形態を決める。
【００１５】
例えば、記録条件として、画像の記録された記録材が真正であることを証明する必要性がある場合、保持制御手段は、予め設定されたルールに基づいて情報記憶媒体の保持形態を決める。保持形態として、情報記憶媒体の保持位置、情報記憶媒体を縦、横あるいは斜めにするといった保持方向、情報記憶媒体の個数、複数枚の記録材に対する頁位置である。
【００１６】
これによって、第三者にとっては単に記録材に情報記憶媒体が保持されているとしかわからない。しかし、第三者が記録材を複製して、情報記憶媒体を保持させたとしても、決められた保持形態と異なるので、この記録材は偽物であることがわかる。逆に、ルールにしたがった情報記憶媒体の保持形態を有する記録材であれば、これは本物であると証明できる。
【００１７】
また、保持制御手段は、記録条件に基づいて保持手段が自動あるいは手動で動作するかを選択する。保持手段が自動で動作する場合、記録材に画像が記録されるとともに情報記憶媒体が保持され、記録材に対する処理が完了する。保持手段が手動で動作する場合、記録材に情報記憶媒体が保持される前に処理が中断する。操作入力があると、処理が続行され、情報記憶媒体が保持される。このとき、保持のための操作入力がないと、情報記憶媒体は保持されずに、記録材に対する処理が完了する。
【００１８】
通常は、自動に設定されているが、記録条件として手動が選択された場合、手動で保持手段の動作を開始できる。したがって、情報記憶媒体の保持の要不要を任意に決めることができる。
【００１９】
また、記録条件は、記録材に記録される画像の機密性の有無を含み、保持制御手段は、前記記録条件から前記画像に機密性を有すると判断した場合、保持手段の手動動作を選択する。
【００２０】
保持手段が自動で動作すると、記録材に情報記憶媒体が保持され、記録材に対する処理が完了する。すなわち、画像が記録された記録材は、装置外に排出される。このような状況では、画像が第三者の目に触れるおそれがあり、画像に機密性を有することを求めても、機密性が維持されない。
【００２１】
そこで、画像に機密性を有する場合、保持手段が手動で動作するように選択することにより、操作入力しない限り、記録材が装置外に排出されることはないようにする。これにより、機密性を有する画像を記録するとき、第三者の目に触れるのを防止することができる。
【００２２】
また、複数枚の記録材に画像を記録する場合、保持制御手段は、情報記憶媒体を保持させる前記記録材の頁を指定する。さらに、保持制御手段は、記録材ごとに情報記憶媒体の保持位置を変える。すなわち、保持制御手段は、偶数頁、奇数頁あるいは全頁といったように頁を指定する。あるいは、複数の頁のうち、任意の１頁だけを指定してもよい。合紙が挿入される場合には、合紙を１頁とみなして、合紙を指定する。このような頁指定は記録条件に基づいて行われる。
【００２３】
例えば、同じ画像を複数枚記録する場合には、任意の頁を指定する。また、複数の記録材を１部として複数部記録する場合、部数単位ごとに情報記憶媒体を保持させる。この場合、各部において、同じ頁を指定する。
【００２４】
そして、複数の頁を指定したとき、各頁の保持位置を変えるとよい。これによって、複数の記録材を重ねたとき、情報記憶媒体の位置がずれるので、各頁の同じ位置に保持させる場合に比べて、一部分が厚くなることを防げる。
【００２５】
また、情報記憶媒体の残量を検出する検出手段と、情報記憶媒体の残量が所定量に足りない場合、当該不足状態を利用者に報知する報知手段とを備えた構成を採用することができる。
【００２６】
上記構成によると、検出手段は、情報記憶媒体の使用量を監視することにより、保持手段が保有している情報記憶媒体の残量を検出する。記録条件に基づいて、情報記憶媒体の保持条件が決められるので、保持条件から保持させる情報記憶媒体の所定量が判明する。例えば、頁数から保持させる情報記憶媒体の所定量が判明し、この所定量と情報記憶媒体の残量とが比較され、その残量が多ければ、そのまま保持手段を動作させ、情報記憶媒体を記録材に保持させる。残量が少なければ、情報記憶媒体が足りないことが報知され、情報記憶媒体の補給が促される。このとき、保持手段を動作させないようにすれば、画像記録の途中で情報記憶媒体がなくなって、処理が中断されることを防止できる。
【発明の効果】
【００２７】
以上のように、本発明によると、記録条件に応じて情報記憶媒体の保持条件が決められるので、後処理や多様な画像の記録形態に対応して、これらに影響を受けることなく情報記憶媒体を記録材に保持させることができる。
【発明を実施するための最良の形態】
【００２８】
本実施形態の画像記録装置を図１に示す。画像記録装置は、コピーモード、プリンタモード、ファクシミリモード等の画像処理モードを有するデジタル複合機である。画像記録装置は、原稿を読み取って画像データを入力する画像読み取り部１と、使用者の入力を受け付ける操作部２と、画像データを記録材に印刷を行う画像形成部３と、画像データを保存するハードディスク装置４と、外部機器との通信を行う通信部５と、ファクシミリ装置６と通信するためのＦＡＸモデム７と、装置全体の制御情報や設定情報等を記憶している管理部８と、装置全体の制御を司る機器制御部９と、ステープル処理等の後処理を行う後処理部１５とを備えている。
【００２９】
画像読み取り部１は、画像データを入力する入力手段として機能し、ＣＣＤ（Ｃｈａｒｇｅ  Ｃｏｕｐｌｅｄ  Ｄｅｖｉｃｅ）１ａといった撮像素子と、原稿台や自動原稿送り装置（ＡＤＦ）にセットされた原稿を検知する原稿検知センサ１ｂと、原稿に付加されたＩＣタグを検知してその情報を読み取るＩＣタグインタフェース（以下、ＩＣタグＩ／Ｆとする）１ｃとを有する。このＣＣＤ１ａによって読み取られた画像データは、画像形成部３に出力される。
【００３０】
ＩＣタグ４０は、ＲＦ（Ｒａｄｉｏ  Ｆｒｅｑｕｅｎｃｙ）回路と、制御回路と、メモリとを備えたＲＦＩＤ（Ｒａｄｉｏ  Ｆｒｅｑｕｅｎｃｙ  Ｉｄｅｎｔｆｉｃａｔｉｏｎ）素子から構成され、各種データ等を格納可能な小型の情報記憶媒体である。このＩＣタグ４０は、通常、電源を備えていないためＩＣタグＩ／Ｆ１ｃから送られてくる電波を受信し、この電波を利用した電磁誘導方法によって電力を発生させている。ＲＦ回路およびメモリは、各々制御回路に接続されている。
【００３１】
ＲＦ回路は、ＩＣタグＩ／Ｆ１ｃからの電波を受信するためのアナログ回路である。制御回路は、ＲＦ回路を介して変調処理および復調処理等のデータ処理を行うデジタル回路である。メモリには、原稿の画像の機密性の有無、画像を記録した日時、画像の著作者、複写の可否等の管理情報が記憶されている。さらには、画像に関連した情報、著作者からのメッセージを加えても良い。
【００３２】
ＩＣタグＩ／Ｆ１ｃは、原稿に保持されたＩＣタグ４０との間で無線を介して通信を行う。ＩＣタグＩ／Ｆ１ｃは、送信信号に対する所定の変調処理を行う変調回路と、変調された変調電波をＩＣタグ４０に送信する送信制御部と、ＲＦ反応に応じてＩＣタグ４０から返信される信号を受信する受信制御部と、受信した変調電波に対する所定の復調処理を行う復調回路と、ＩＣタグ４０との通信を送信制御部および受信制御部を介して行うためのアンテナとから構成される。
【００３３】
操作部２は、各種入力キーからなる入力部２ａと、液晶ディスプレイ等の表示部２ｂとを有し、装置全体の操作や各種設定の入力が行われ、入力内容や装置全体の動作状況が表示される。
【００３４】
画像形成部３は、画像データを記憶するローカルメモリ１０と、レーザ走査ユニットからなる印字部３ａと、画像データを暗号化、復号化するセキュリティ部３ｂとを有する。
【００３５】
ローカルメモリ１０は、ＳＤＲＡＭ、フラッシュメモリ等の読み書き可能な半導体メモリを用いる。ローカルメモリ１０は、古い画像データに新しい画像データを上書きすることにより、画像データを記憶する。印字部３ａは、ローカルメモリ１０に記憶された画像データに基づいて、給紙部２３から供給される記録材２２に画像を印刷する。
【００３６】
画像形成部３では、入力された画像データがローカルメモリ１０に記憶され、ローカルメモリ１０上で画像データの圧縮、伸張、加工等の画像処理が行われ、画像処理された画像データが印字部３ａ、ハードディスク装置４あるいは機器制御部９に出力される。ローカルメモリ１０は、入力された画像データを記憶する入力データ領域と、出力するための画像データを記憶する出力データ領域とに分割されている。なお、１つのローカルメモリ１０を分割して使用する代わりに、２つのローカルメモリ１０を使用してもよい。
【００３７】
ハードディスク装置４は、処理するための画像データを一時的に保存する保存手段とされる。ハードディスク装置４に画像データが保存されるとき、必要に応じて画像データは暗号化される。
【００３８】
通信部５は、ＬＡＮケーブルを介してルータ、スイッチングハブ等に接続され、パソコン、サーバ等の情報処理装置１１によって形成されたネットワークと接続される。ネットワークは、電話回線網や光ファイバ等の通信回線を介してインターネットに接続される。通信部５は、ネットワーク内の情報処理装置１１とデータの送受信を行うとともに、インターネットを通じて外部の情報処理装置１２やファクシミリ装置１３とデータの送受信を行う。ＦＡＸモデム７は、電話線を介して電話回線網に接続され、外部のファクシミリ装置６とファクシミリ通信を行う。したがって、通信部５やＦＡＸモデム７を通じて画像データが入力されるので、これらも入力手段として機能する。
【００３９】
後処理部１５は、印字部３ａから搬送されてきた記録材２２を蓄積するコンパイルトレイ（図示せず）を有し、このコンパイルトレイに蓄積された記録材２２にステープルやパンチ孔あけ等の後処理を施す。
【００４０】
そして、ローカルメモリ１０およびハードディスク装置４の画像データを無効化する無効化手段１４を備えており、機器制御部９が、装置全体の動作状況に応じて無効化手段１４の動作を制御する。画像データの無効化とは、ランダムなデータや無意味なデータを上書きしたり、あるいは消去したりして、記憶されていた画像データを読み取り不可能にして、元の画像を再現できないようにすることである。したがって、無効化手段１４は、ローカルメモリ１０に対しては上書きすることによって画像データを無効化し、ハードディスク装置４に対しては上書きあるいは消去によって画像データを無効化する。
【００４１】
機器制御部９は、操作部２からの入力や外部機器からのデータ入力があると、管理部８に記憶されている情報に基づいて各部を制御し、入力された画像データを処理する。すなわち、入力された画像データに対してコピーモード、プリンタモード、ファクシミリモードのいずれかのモードを実行する。
【００４２】
次に、画像処理モードを実行するときの動作を説明する。コピーモード時には、画像読み取り部１によって読み取られた原稿の画像データが、画像形成部３から複写物として出力される。具体的には、読み取り位置にセットされた原稿の画像をＣＣＤ１ａによって読み取る。ＣＣＤ１ａから出力された画像データは、ローカルメモリ１０に出力画像として完成され、一旦ハードディスク装置４に転送されて保存される。原稿が複数ある場合は、ＣＣＤ１ａでの読み取り、ハードディスク装置４への記憶の動作が繰り返し行われる。
【００４３】
その後、操作部２から指示された処理内容に基づいて、ハードディスク装置４に保存された画像データが適切なタイミングで順次読み出され、ローカルメモリ１０に送られる。そして、印字部３ａへの書き込みタイミングに合わせて、画像データがローカルメモリ１０から印字部３ａへと転送され、画像が記録材２２に印刷される。
【００４４】
また、読み取った画像データを複数枚印刷する場合も同様に、画像データが出力画像としてページ単位でハードディスク装置４へ記憶され、出力するモードに合わせてハードディスク装置４からローカルメモリ１０に送られる。ローカルメモリ１０の画像データは、出力枚数の分だけ繰り返し、印字部３ａへの書き込みタイミングに合わせて印字部３ａへ転送される。
【００４５】
プリンタモード時には、情報処理装置１１，１２から出力された画像データが、画像形成部３から出力される。すなわち、情報処理装置１１，１２からの画像データが、通信部５により受信される。機器制御部９は、入力された画像データをローカルメモリ１０に送り、出力する画像データとしてページ単位に展開し、一旦ハードディスク装置４に記憶する。そして、画像データは、ハードディスク装置４からローカルメモリ１０に送られ、コピーモードの場合と同様に、画像データがローカルメモリ１０から印字部３ａへと転送され、画像が記録材２２に印刷される。
【００４６】
ファクシミリモード時には、画像読み取り部１において読み取られた原稿の画像データが、ＦＡＸモデム７から電話回線６を通じてファクシミリ装置６に画像データが送信される。すなわち、ＣＣＤ１ａから出力された画像データは、ローカルメモリ１０上に出力画像として完成され、一旦ハードディスク装置４へ保存される。そして、画像データがハードディスク装置４からローカルメモリ１０に送られ、機器制御部９は、操作部２を介して指示されたネットワーク内の送信先との通信を確立させ、ＦＡＸモデム７から目的の送信先に画像データを送信する。さらに、画像データは、通信部５によりネットワークからインターネットを通じて、外部の情報処理装置１１，１２やファクシミリ装置１３にも送信される。
【００４７】
本画像記録装置は、記録材２２に対してＩＣタグ４０を保持させる保持手段２１と、ＩＣタグ４０に記録材２２の管理情報等を書き込むＩＣタグ書込み手段２０とを備える。また、機器制御部９は、記録材２２に対してＩＣタグ４０を保持させる保持条件を決める保持制御手段を有する。
【００４８】
ＩＣタグ４０は、図２に示すように、粘着性を有する粘着面と、粘着性がない非粘着面とを有する粘着テープ３９の粘着面上に保持される。ＩＣタグ４０の周囲には切れ目３９ａが形成され、粘着テープ３９からＩＣタグ４０を切り取り可能とされる。
【００４９】
保持手段２１は、図３に示すように、搬送部材４５によって搬送される記録材２２に対してＩＣタグ４０を貼りつけて保持させるものであって、定着装置３８と後処理部１５との間に配される。保持手段２１は、ＩＣタグ４０を供給する供給部と、ＩＣタグ４０を記録材２２に貼り付ける貼付け部とを備える。供給部は、粘着テープ３９を供給する供給ローラ３６と、粘着テープ３９を巻き取る巻取りローラ３４と、巻取りローラ３４を駆動する供給モータ（図示せず）とを有する。貼付け部は、粘着テープ３９を記録材２２に対して押し付ける押付ローラ３０と、押付ローラ３０を回動自在に支持する支持部材３１と、支持部材３１を上下動させるカム３２と、支持部材３１を押し上げるばね３３と、カム３２を回動させる貼付けモータ（図示せず）とを有する。
【００５０】
押付ローラ３０は、記録材２２をガイドするガイド部材３５と記録材２２を挟んで対向する位置に配され、記録材２２に対して近接離間する。粘着テープ３９は、記録材２２と押付ローラ３０との間を通る。この押付ローラ３０は、支持部材３１に回転自在に支持される。この支持部材３１は、支持軸３７周りに上下方向に揺動する。
【００５１】
ばね３３は、押付ローラ３０が記録材２２と接触する方向に支持部材３１を付勢する。カム３２は、支持部材３１に接触しながら回転する。このカム３２の回転により粘着テープ３９が記録材２２に対して接触、あるいは、離間する。
【００５２】
供給部と貼付け部は、一体化されて、移動台（図示せず）に載置される。移動台は、記録材２２の搬送方向と直交する方向に移動可能とされ、モータ（図示せず）によって移動する。
【００５３】
上記構成により、押付ローラ３０が記録材２２に対して近接して、粘着テープ３９からＩＣタグ４０が保持された部分を打ち抜き、ＩＣタグ４０を貼り付ける。
【００５４】
機器制御部９の保持制御手段は、図４に示すように、入力部２ａから入力された記録条件から記録材２２に対するＩＣタグ４０の保持位置を選定する。そして、記録材２２の搬送に合わせて保持手段２１およびＩＣタグ書き込み手段２０を駆動する。すなわち、記録材２２は、表面に画像を記録された後、定着ユニット３８を通って保持手段２１に搬送される。機器制御部９は、保持位置に応じた位置に移動台を移動させる。機器制御部９は、この記録材２２の位置を検出しており、記録材２２の保持位置が押付ローラ３０を通過するタイミングにあわせて貼付け部を駆動する。記録材２２にＩＣタグ２２が貼り付けられた後、移動台を初期位置に復帰させる。このとき、次の記録材２２に備えて、巻取りローラ３４を駆動して、粘着テープ３９を搬送し、ＩＣタグ４０が押付ローラ３０の位置にくるようにする。
【００５５】
ＩＣタグ書込み手段２０は、保持手段２１と後処理部１５との間に配される。ＩＣタグ書込み手段２０は、記録材２２に保持されたＩＣタグ４０に変調電波を送信し、記録材２２の管理情報等をＩＣタグ４０に書き込む（図４参照）。すなわち、機器制御部９は、記録材２２が通過するタイミングに合わせてＩＣタグ書き込み手段２０を駆動する。ＩＣタグ書込み手段２０は、通過する記録材２２のＩＣタグ４０に管理情報等を書き込む。
【００５６】
コピーモード、プリントモード、ファクシミリモードのいずれかによって画像が記録された記録材２２に対して、ＩＣタグ４０を付すときの動作を説明する。
【００５７】
画像の記録が片面印刷の場合、図６に示すように、記録材２２の表面に画像が記録され、その裏面にＩＣタグ４０が貼られる。詳しくは、機器制御部９は、入力された記録条件から記録材２２の画像記録領域５３を認定し、ＩＣタグ４０の保持位置を決定する。保持手段２０は、記録材２２の決められた保持位置にＩＣタグ４０を貼る。これにより、ＩＣタグ４０は、記録材２２の表面に記録された画像と重ならない位置に貼られる。
【００５８】
また、図７（ａ）、（ｂ）、（ｃ）に示すように、後処理として記録材２２を折り畳む場合、ＩＣタグ４０は、折目を回避した位置に貼り付けられる。具体的には、機器制御部９は、入力された記録条件、例えば、記録材のサイズ、折り畳み方等から記録材２２に記録された画像記録領域５３と、折り畳まれる後処理領域５４とを認定する。この画像記録領域５３と後処理領域５４に応じて、機器制御部９は、記録材２２に対するＩＣタグ４０の保持位置を決定する。この保持位置は、記録材２２の折り畳まれる半面側ではなく、折り畳んだときに重ね合わせられる半面側に位置する。これにより、ＩＣタグ４０は、記録材２２を折り畳むときに邪魔にならない。また、折り畳みによってＩＣタグ４０が損傷することもない。
【００５９】
図８〜図１０に示すように、後処理としてパンチ穴あけやステープルを施す場合、ＩＣタグ４０は、パンチ孔５０の近傍やステープル針５１が打ち込まれる近傍を回避した位置に貼り付けられる。詳しくは、機器制御部９は、入力された記録条件から記録材２２に記録された画像記録領域５３と、パンチ孔５０やステープル針５１がある後処理領域５４を認定し、記録材２２に対するＩＣタグ４０の保持位置を決定する。保持位置は、後処理部１５が記録材２２に作用する一端側領域を避けて、この領域とは反対側の他端側領域に位置する。これにより、ＩＣタグ４０に穴あけされたり、ステープル針５１がＩＣタグ４０に打ち込まれることを防げる。
【００６０】
図１１に示すように、記録材２２が複数ある場合、指定した頁にＩＣタグ４０が貼り付けられる。詳しくは、機器制御部９は、入力された記録条件、例えば、印刷する記録材２２の枚数、両面か片面かの印刷方法、記録材２２のサイズ、記録材２２に対する印刷方向等から記録材２２に記録された画像記録領域５３を認定し、ＩＣタグ４０を貼る記録材２２の頁を指定する。頁指定は、入力された記録条件に基づいて決定される。例えば、第１頁に貼る、偶数頁に貼る、あるいは、全頁に貼るといったように決められる。複数の頁にＩＣタグ４０を貼るとき、各頁における保持位置は変えられる。記録材２２を積み重ねたとき、ＩＣタグ４０が重ならないようにされる。
【００６１】
図１２に示すように、複数の記録材２２を１部として複数部記録する際、部数単位ごとにＩＣタグ４０は貼り付けられる。具体的には、後処理によって記録材２２は部数単位で取りまとめられる。ＩＣタグ４０は、各部の指定された頁に貼り付けられる。なお、各部数単位ごとにステープルされる場合には、機器制御部９は後処理領域５４を避けてＩＣタグ４０を貼る。
【００６２】
ここで、図１３に示すように、記録材２２のサイズによってローラからなる搬送部材４５と接触する記録材２２の接触領域５５が異なる。また、搬送される記録材２２の向きによっても接触領域５５は変わる。機器制御部９は、記録条件に基づいて保持位置を決めるとき、接触領域５５についても考慮し、この接触領域５５を避けて保持位置を決める。
【００６３】
また、機器制御部９は、画像が記録された記録材２２の真偽、例えば、画像の記録された記録材が真正であることを証明する必要性がある場合、第三者に知り得ないルールにしたがって記録材２２に対してＩＣタグ４０を貼り付ける。詳しくは、機器制御部９は、入力された記録条件と予め設定されたルールに基づいて、ＩＣタグ４０の保持形態を決める。例えば、ＩＣタグ４０の保持位置、ＩＣタグ４０を縦、横あるいは斜めにするといった保持方向、ＩＣタグ４０の個数、複数枚の記録材２２に対する頁位置等のように、保持形態を特定する。機器制御部９は、決められた保持形態にしたがってＩＣタグ４０を貼り付けていく。ルールは、予め入力設定されるか、画像データの入力と共に設定データが入力されることにより設定される。
【００６４】
これにより、第三者にとっては、単に記録材２２にＩＣタグ４０が保持されているとしか認知されない。第三者が記録材２２を複製して、ＩＣタグ４０を保持させたとしても、決められた保持形態と異なるので、この記録材２２は偽物であることがわかる。逆に、ルールにしたがったＩＣタグ４０の保持形態を有する記録材２２であれば、これは本物であると証明できる。
【００６５】
また、保持手段２１は、手動により動作可能とされ、機器制御部９は、保持手段２１の手動動作あるいは自動動作を選択する。機器制御部９は、記録条件から記録材２２に記録した画像に機密性を有すると判断した場合、保持手段２１の手動動作を選択する。詳しくは、機器制御部９は、入力された記録条件、例えば、複写の可否、機密性に対する有無等から画像の機密性が有りと判断した場合、保持手段２１が手動で動作するように選択する。
【００６６】
保持手段２１が手動で動作するとき、画像の記録は一時中断して、操作入力を待つ。このとき、保持位置を自動的に決める代わりに、図５に示すように、表示部２ｂでＩＣタグ４０の保持位置を手動で決定することもできる。
【００６７】
操作部２の表示部２ｂには、記録材２２に対するＩＣタグ４０の保持位置が表示される。使用者は、ＩＣタグ４０の保持位置を移動させて指定する。保持位置が決まったら、画面上の『ＯＫ』ボタンを押す。
【００６８】
機器制御部９は、入力部２ａから操作入力があったとき、保持手段２１を動作させて、入力された保持位置にＩＣタグ４０を貼り付ける。
【００６９】
このとき、保持のための操作入力がないと、ＩＣタグ４０は貼り付けられず、ＩＣタグ４０のない記録材２２が排出され、記録材２２に対する処理が完了する。
【００７０】
また、機器制御部９は、画像の機密性がないと判断した場合、保持手段２１が自動で動作するように選択する。このとき、ＩＣタグ４０は、記録材２２の決められた保持位置に自動的に貼り付けられる。
【００７１】
また、機器制御部９は、ＩＣタグ４０の残量を検出する検出手段と、残量が所定量に足りない場合、当該不足状態を報知する報知手段とを備える。検出手段は、ＩＣタグ４０の使用数量をカウントし、粘着テープ３９のＩＣタグ４０の全体数量から使用数量を引いて、現在のＩＣタグ４０の残量を算出する。機器制御部９は、残量と記録条件から算出したが必要な数量とを比較し、足りるか否かを判断する。
【００７２】
残量からＩＣタグ４０が足りると判断した場合、機器制御部９は、保持手段２１によって記録材２２にＩＣタグ４０を貼り付ける。必要数量に残量が足らないと判断した場合、機器制御部９は、アラームを鳴らすなどして使用者にその旨を報知すると共に、画像の記録を開始しない。機器制御部９は、ＩＣタグ４０が補充されたことを検知したら、通常通り画像の記録を開始し、保持手段２１によって記録材２２にＩＣタグ４０を貼り付ける。
【００７３】
また、保持手段２１は、記録材２２に対してＩＣタグ４０を埋め込んで保持させても良い。予め記録材２２に小さな孔等を開けておき、その孔にＩＣタグ４０を埋め込むようにする。これにより、保持手段２１は、記録材２２にＩＣタグ４０を埋め込むことができる。
【００７４】
ただし、ＩＣタグ４０を記録材２２に埋め込む場合、ＩＣタグ４０はカプセル形状や液体状等の埋め込みやすい形状のものとされ、さらに、記録材２２はダンボールや厚紙といったＩＣタグ４０が埋め込むだけの厚みを持ったものとする必要がある。
【００７５】
なお、本発明は、上記実施形態に限定されるものではなく、本発明の範囲内で修正・変更を加えることができるのは勿論である。上記実施形態では、ファックス機能、コピー機能、プリンタ機能等を備えた複合機に本発明を適用した例を示したが、コピー機あるいはプリンタ機等のように単体機能のみ備えた機器でも良い。また、後処理部を備えていない機器であっても良い。
【００７６】
記録材として、ＩＣタグを保持しているものを使用しても良い。この場合、記録材のＩＣタグの有無を検出する検出装置を設ける。例えば、一度記録したＩＣタグ付きの記録材を再度使用した際に、新たにＩＣタグを保持させる必要がなくなる。機器制御部は、ＩＣタグ付きの記録材を検出すると、ＩＣタグに再書き込みを行う。これにより、ＩＣタグを再利用することができる。なお、画像記録領域や後処理領域とは異なる位置にＩＣタグが保持されているので、ＩＣタグは、画像の記録や後処理の影響を受けない。
【００７７】
保持手段は、記録材に画像が記録された後にＩＣタグを保持させているが、画像の記録前にＩＣタグを保持させても良い。例えば、記録材に画像を記録する方法としてインクジェット方式の場合、記録材は、高温、高圧、さらに、高電圧に曝されることがないので、保持後に画像を記録してもＩＣタグが破壊されることはない。
【００７８】
情報記憶媒体は、ＩＣタグに限らず、蛍光物質を用い、インクを添加して、印刷等により保持させる。蛍光物質の種類や添加量、複数種類の組み合わせによって情報を付与することができる。
【図面の簡単な説明】
【００７９】
【図１】本発明の画像記録装置の一実施形態であるデジタル複合機の概略構成を示す図
【図２】粘着テープに保持されたＩＣタグを示す図
【図３】保持手段の概略構成を示す図
【図４】ＩＣタグの保持および書き込みのための制御ブロック図
【図５】ＩＣタグの保持位置の設定画面を示す図
【図６】片面印刷した記録材におけるＩＣタグの保持位置態様を示す図
【図７】折り畳んだ記録材におけるＩＣタグの保持位置を示す図で、（ａ）が広げたときの図、（ｂ）折り畳んだときの図、（ｃ）折り畳んだ時の側面図
【図８】パンチ孔を開けた記録材におけるＩＣタグの保持位置を示す図
【図９】ステーブルを左上にした記録材におけるＩＣタグの保持位置を示す図
【図１０】ステーブルを左側の２箇所にした記録材におけるＩＣタグの保持位置を示す図
【図１１】複数枚の記録材に対するＩＣタグの保持位置を示す図
【図１２】複数部数の記録材に対するＩＣタグの保持位置を示す図
【図１３】記録材と搬送部材との接触領域と異なる位置にＩＣタグを貼り付けた様態を示す図
【符号の説明】
【００８０】
１    画像読み取り部
２    操作部
３    画像形成部
４    ハードディスク装置
５    通信部
７    ＦＡＸモデム
８    管理部
９    機器制御部
１０  ローカルメモリ
２１  保持手段
４０  ＩＣタグ
５３  画像記録領域
５４  後処理領域
５５  接触領域
【図１】
0004580315.tif 000002
【図２】
0004580315.tif 000003
【図３】
0004580315.tif 000004
【図４】
0004580315.tif 000005
【図５】
0004580315.tif 000006
【図６】
0004580315.tif 000007
【図７】
0004580315.tif 000008
【図８】
0004580315.tif 000009
【図９】
0004580315.tif 000010
【図１０】
0004580315.tif 000011
【図１１】
0004580315.tif 000012
【図１２】
0004580315.tif 000013
【図１３】
0004580315.tif 000014